(57)【特許請求の範囲】
【請求項１】
前身頃（１）に備えさせたポケット（３）の開口部（５）にスライドファスナー（４）が設けられ、該スライドファスナー（４）は、務歯上を移動するスライダ（１３）と、該スライダ（１３）に支持された引き手（８）とを備えてなるスライドファスナー付き釣り具において、
前記開口部（５）には、スライドファスナー（４）が閉状態で、前記スライダ（１３）を覆うカバー体（１１）が設けられ、該カバー体（１１）は、伸縮性を有するとともに前身頃（１）とポケット（３）との間に務歯を跨ぐようにして設けられていることを特徴とするスライドファスナー付き釣り具。
【請求項２】
スライドファスナー（４）が閉状態で、前記引き手（８）の少なくとも一部が前記カバー体（１１）から把持可能に露出してなる請求項１記載のスライドファスナー付き釣り具。
【請求項３】
前記カバー体（１１）が、ポケット（３）の開口部（５）の終端部に設けられている請求項１又は２記載のスライドファスナー付き釣り具。
【請求項４】
前記スライダ（１３）には、引き手（８）を回動自在に支持すべく、引き手（８）の取付孔（９）を遊貫する引き手支持部（６）が設けられ、該引き手指示部（６）を前記カバー体（１１）が覆っている請求項１乃至３の何れかに記載のスライドファスナー付き釣り具。
【発明の詳細な説明】
【０００１】
【発明の属する技術分野】
本発明は、スライドファスナー付き釣り具に関するもので、例えば、ポケットの開口部や前合わせ部等にスライドファスナーが設けられた釣り用衣服や、収納部の開口部にスライドファスナーが設けられた携帯用の釣り用バッグ等、種々のスライドファスナー付き釣り具に関するものである。
【０００２】
【従来の技術】
従来、例えば釣り用ベストの場合、ポケットの開口部や前合わせ部等の開閉部にスライドファスナーが設けられてなるものが公知である。かかる釣り用ベストに用いられているスライドファスナーは、図３の如く、務歯５０上を移動して務歯５０の噛合と噛合解除とを行うスライダ５１と、該スライダ５１を移動させるべく、スライダ５１に支持されて把持可能な引き手５２とを備えてなる。更に、スライダ５１には、前記引き手５２の取付孔５３を遊貫する引き手支持部５４が、スライダ本体５５の上面側に突出して形成されてなる。そして、該引き手支持部５４に引き手５２が回動自在に支持されてなる。
【０００３】
ところで、上記釣り用ベストを着用して釣りを行う場合、例えばポケットには釣り餌や交換用の仕掛け等を収納し、釣りの最中にスライドファスナーを操作して開口部を開口させ、収納したものを適宜取り出した後、再度操作して開口部を閉じる。従って、取り出し以外の時には、一般には開口部を閉じていることが多い。
【０００４】
【発明が解決しようとする課題】
しかるに、開口部が閉じたスライドファスナーの閉状態において、スライダ５１が外部に露出しているため、例えば、スライダ本体５５と務歯５０との間等、スライダ５１に糸が絡む場合があり、釣りの最中に糸が絡むと、手返しに時間がかかり、釣果に影響が出るうえに、精神衛生上も好ましくない。また、特に細い糸ではラインブレイクの原因になる可能性もある。
【０００５】
更に、スライダ５１の引き手支持部５４の構成上、スライダ５１自体の隙間５８に糸が絡む可能性もある。即ち、スライダ５１は一般に金属製のものが多く、スライダ本体５５と引き手支持部５４とが一体的に形成され、引き手５２の取付孔５３に引き手支持部５４が遊貫されて引き手５２が回動自在に支持されてなるが、該引き手支持部５４の構成としては、図３に示すタイプや図４に示すタイプがある。
【０００６】
まず、図３に示すタイプの引き手支持部５４は、スライダ本体５５の上面に前後一対の支柱５６，５６を突設し、両支柱５６，５６の間に引き手５２の取付孔縁部５７を挿入した後、ペンチ等によって両支柱５６，５６を押圧変形させて先端部同士を互いに接近させることにより、引き手５２の取付孔５３に両支柱５６，５６を遊貫させてなるものである。かかる構成では、両支柱５６，５６の先端部の間に隙間５８が発生することとなる。
【０００７】
一方、図４の如く、引き手支持部５４を一本の支柱５６から形成する構成もある。該構成は、スライダ本体５５の前方側上面から上方に向けて支柱５６を突設し、引き手５２の取付孔５３に支柱５６を遊貫した後、支柱５６の先端を後方側に向けて環状に屈曲させることにより、引き手５２を回動自在に支持してなるものである。かかる構成では、スライダ本体５５の上面と支柱５６の先端部との間に隙間５８が発生することとなる。
【０００８】
このように、支柱５６を屈曲形成して引き手支持部５４を形成してなるため、スライダ５１には、糸が挿入しうる隙間５８が存在することとなり、該隙間５８に糸がかみ込んで糸が損傷する可能性がある。尚、糸が完全に通過しうる隙間５８でなくとも、先端部同士若しくは先端部とスライダ本体５５の上面とが、大部分は当接していて、一部分に糸が引っかかりうる程度の隙間がある場合等、スライダ５１に糸が引っかかりうる不連続部があれば同様の問題が生じうる。
【０００９】
また、以上の問題は、前合わせ部においても起こりうることであり、また、釣り用ベスト以外にも、スライドファスナーが設けられている上述のような種々の釣り具にも起こりうる共通した問題である。
【００１０】
そこで本発明は、上記従来の問題点に鑑みて、閉状態におけるスライドファスナーのスライダに糸が絡まることを防止できるスライドファスナー付き釣り具を提供することを課題とするものである。
【００１１】
【課題を解決するための手段】
本発明は、上記課題を解決すべくなされたものであり、本発明に係るスライドファスナー付き釣り具は、前身頃１に備えさせたポケット３の開口部５にスライドファスナー４が設けられ、該スライドファスナー４は、務歯上を移動するスライダ１３と、該スライダ１３に支持された引き手８とを備えてなるスライドファスナー付き釣り具において、前記開口部５には、スライドファスナー４が閉状態で、前記スライダ１３を覆うカバー体１１が設けられ、該カバー体１１は、伸縮性を有するとともに前身頃１とポケット３との間に務歯を跨ぐようにして設けられていることを特徴とする。
【００１２】
本発明に係るスライドファスナー付き釣り具にあっては、スライドファスナー４を閉じた閉状態にすると、スライダ１３がカバー体１１によって覆われた状態となる。従って、この閉状態では、カバー体１１によって糸とスライダ１３との接触が防止されるため、糸がスライダに絡むことなく集中して釣りを行うことができる。
また、カバー体１１が伸縮性を有してなる場合には、スライダ１３をカバー体１１の内側に出し入れする際にカバー体１１が伸長するので、スムーズにスライダ１３を出し入れすることができる。
【００１３】
特に、請求項２記載の如く、閉状態において、引き手８の一部がカバー体１１から把持可能に露出してなる場合には、釣りの最中等に、スライダ１３をカバー体１１から露出させる必要なく、引き手８を簡単に把持して開くことができる。従って、糸との絡みを確実に防止しつつ、開く時の利便性をも確保することができる。
【００１４】
更に、請求項３記載の如く、前記カバー体１１が、ポケット３の開口部５の終端部に設けられていてもよい。
【００１５】
【発明の実施の形態】
以下、本発明に係るスライドファスナー付き釣り具の一実施形態として、図１及び図２を参酌しつつ、左右一対の前身ごろ１，１の前合わせ部２と、ポケット３の開口部５とに、各々スライドファスナー４が設けられてなる釣り用ベストについて説明する。尚、スライドファスナー４の引き手支持部６の構成は、上述の図４に示したタイプのものである。即ち、図２の如く、前方側から後方側に向けて屈曲形成された引き手支持部６がスライダ本体７の上面から突出して設けられ、引き手８の一端側の取付孔９に遊貫して引き手８を回動自在に支持してなり、引き手支持部６の先端部とスライダ本体７の上面との間には、図２の如く、スライダの後方側に隙間１０が存在してなる。
【００１６】
かかるスライドファスナー４が各々設けられた前合わせ部２の上端部、各ポケット３の開口部５の終端部には、スライドファスナー４が閉状態においてスライダ１３全体を外側から覆うカバー体１１が各々設けられてなる。該カバー体１１は、前合わせ部２の上端部及び開口部５の終端部において、務歯を跨ぐようにして設けられ、ゴム等の伸縮性を有するシート部材から形成されてなる。そして、例えば、スライダ１３が終端部に来るとカバー体１１の内側に入り込んで、図２の如く、前記隙間１０を含めて引き手支持部６全体がカバー体１１によって覆われ、且つ、引き手８の他端側は、カバー体１１から把持可能に後方に向けて露出するようになっている。
【００１７】
尚、前合わせ部２におけるカバー体１１は、ベストを脱ぐ際に左右の前身ごろ１，１を互いに離反できるよう、一端部１１ａが前身ごろ１に着脱自在であり、ベスト着用時は一端部１１ａを取り付けた状態としてスライダ１３を覆うことができるようになっている。また、引き手８の一端側には、より一層スライダ１３の移動を容易ならしめるために、紐状体等の引き手延長部材を取り付けるための接続孔１２が設けられてなる。
【００１８】
上記構成からなる釣り用ベストを着用し、前合わせ部２のスライドファスナー４の引き手８を上端部まで上方に引き上げて前合わせ部２を閉じる。そして、スライダ１３を覆うようにしてカバー体１１の一端部１１ａ側を回動させて前身ごろ１に取り付けると、スライダ１３全体がカバー体１１で完全に覆われる一方、図１の如く、引き手８の下方側端部はカバー体１１から下方に向けて露出した状態となる。従って、ベストを脱ぐ際に、引き手８を容易に把持することができる。同様に、釣りの最中にポケット３の開口部５を開く際には、カバー体１１から後方側に露出している引き手８を把持して容易に開いて、中の仕掛け等を容易に且つ俊敏に取り出すことができる。
【００１９】
一方、ポケット３の開口部５をスライドファスナー４で閉じる際について説明すると、終端部に位置するカバー体１１が務歯を跨いで設けられているため、カバー体１１と終端部における務歯との間には、図２の如く、スライダ１３を収納可能な収納ポケット１４ができている。従って、引き手８を前方側（終端部側）に向けて引き、スライダ１３を前記収納ポケット１４の入口１４ａから奥に差し込むが、この際、カバー体１１の伸縮性によって容易に差し込むことができ、且つ、差し込んだ状態では、カバー体１１の弾性復元力によって、入口１４ａが狭くなる。その結果、カバー体１１によってスライダ１３全体、特に後方側の隙間１０の外側が完全に覆われるので、スライダ１３自体や隙間１０に糸が絡んだり、隙間１０に糸がかみ込んだりするということがなくなり、絡んだ糸を解きほぐす等の無用な時間を省いて釣りに専念できる。また、カバー体１１が覆った状態では入口１４ａが狭くなっているため、特に入口１４ａ側から仕掛け等が侵入してスライダ１３に引っかかるおそれもない。
【００２０】
また、カバー体１１が務歯を跨いで設けられてなるため、スライダ１３の略中心に位置する引き手支持部６がカバー体１１から露出することがない。
【００２１】
尚、本実施形態では、スライダ１３全体をカバー体１１で覆うようにしてなるが、少なくとも引き手支持部６、特に、隙間１０の外側を覆うようにすることが好ましい。
【００２２】
更に、引き手支持部６の構成も上記実施形態のものに限定されず、上述した図３のタイプのものであっても、また、それ以外のタイプのものであっても本発明の意図するところである。但し、スライダ１３に隙間１０や不連続部が存在している場合、カバー体１１による糸接触防止効果が大きい。
【００２３】
また、釣り用ベストを一例として説明したが、バッグ等の釣り具収納ケース等のスライドファスナー付き釣り具にも無論採用可能である。更に、カバー体１１も上記したようなものに限定されず、例えば、ネット状のものであってもよい。また、スライドファスナー４を一対設けた両開きの構成としてもよい。
【００２４】
【発明の効果】
本発明に係るスライドファスナー付き釣り具にあっては、糸とスライダとの接触がカバー体によって阻止されるので、スライダに釣り糸が絡まるおそれがなくなり、円滑に釣りを行え、糸切れも防止できるという効果を奏する。
【図面の簡単な説明】
【図１】本発明の一実施形態におけるスライドファスナー付き釣り具を示す斜視図。
【図２】同スライドファスナー付き釣り具の要部を示す断面図。
【図３】従来のスライドファスナー付き釣り具の要部を示す平面図。
【図４】従来のスライドファスナー付き釣り具の要部を示す断面図。
【符号の説明】
２…前合わせ部（開閉部）、４…スライドファスナー、５…開口部（開閉部）、６…引き手支持部、８…引き手、９…取付孔、１１…カバー体、１３…スライダ
【図１】
0004083899.tif 000002
【図２】
0004083899.tif 000003
【図３】
0004083899.tif 000004
【図４】
0004083899.tif 000005